(57)【要約】【課題】  コンピュータへの画像転送に支障をきたすという問題を解消することができるデジタルカメラを提供する。【解決手段】  ＵＳＢケーブルの一端３０１が、デジタルカメラ１００に備えられたＵＳＢコネクタ１０７に結合されたことを結合検出スイッチ１０７＿５で検出し、これを受けて結合検出フラグ１４３ａを判定して、デジタルカメラ１００に適合したドライバソフトウェアがパーソナルコンピュータにインストールされているか否かを液晶モニタを介してユーザに問い合わせ、インストールされていることの確認を得るまでの間は、通信路スイッチ１４２＿１，１４２＿２をオフにして通信路を切断しておき、その確認を得た後に通信路スイッチ１４２＿１，１４２＿２をオンにして通信路を接続するＩ／Ｆ部１４０を備えた。【選択図】        図４
2005101900.tif 000002
【特許請求の範囲】
【請求項１】
被写体の撮影を行なって画像データを生成するデジタルカメラにおいて、
コンピュータとの間の通信路を形成する通信ケーブルの一端と結合するコネクタと、
該コネクタに接続された通信ケーブルを介して、所定のソフトウェアがインストールされたコンピュータとの間で通信を行ない該コンピュータに画像データを送信する通信手段と、
コンピュータに前記所定のソフトウェアがインストールされているか否かをユーザに問い合わせ、インストールされていることの確認を得る問合せ手段とを備え、
前記通信手段は、前記問合せ手段による前記確認を得るまでの間は、前記通信路を切断しておき、該確認を得た後に該通信路を接続するものであることを特徴とするデジタルカメラ。
【請求項２】
前記通信手段は、前記通信路を切断しておくにあたり、前記通信ケーブルの一端が前記コネクタに結合され該通信ケーブルの他端がコンピュータに接続された状態においても、該コンピュータに、該通信ケーブルに機器が未接続であると認識させる状態に該通信路を切断しておくものであることを特徴とする請求項１記載のデジタルカメラ。
【請求項３】
前記コネクタが、前記通信ケーブルの一端との結合を検出する結合検出スイッチを備えたものであることを特徴とする請求項１記載のデジタルカメラ。
【発明の詳細な説明】
【技術分野】
【０００１】
本発明は、被写体の撮影を行なって画像データを生成するデジタルカメラに関する。
【背景技術】
【０００２】
従来より、被写体の撮影を行なって画像データを生成するデジタルカメラにおいて、そのデジタルカメラで生成された画像データをパーソナルコンピュータに送信するためのＵＳＢ（Ｕｎｉｖｅｒｓａｌ  Ｓｅｒｉａｌ  Ｂｕｓ）ケーブルが接続されるＵＳＢコネクタを備えたデジタルカメラが知られている。このようなデジタルカメラには、一般に、そのデジタルカメラで生成された画像データをパーソナルコンピュータに送信するためのソフトウェア（デジタルカメラ用のドライバソフトウェア）が格納されたＣＤ―ＲＯＭが添付されている。このＣＤ−ＲＯＭに格納されたソフトウェアをパーソナルコンピュータにインストールするには、そのパーソナルコンピュータに備えられたＣＤ−ＲＯＭが装填されるＣＤ−ＲＯＭ装填口に、このＣＤ−ＲＯＭを装填し、そのパーソナルコンピュータに備えられた画面に表示される操作手順に従って操作することにより行なう。
【０００３】
ここで、電子機器の立上げ時に、その電子機器の画面に外部機器との接続方法を表示する技術が提案されている（特許文献１参照）。この技術をデジタルカメラに採用すれば、そのデジタルカメラに電源が最初に投入された時点でそのデジタルカメラの画面に、そのデジタルカメラメーカからの、ＣＤ−ＲＯＭに格納されたソフトウェアをパーソナルコンピュータにインストールする旨の表示を行なうことができる。このようにすることにより、ユーザに対して、そのデジタルカメラに適合したソフトウェアをパーソナルコンピュータにインストールする旨を促すことができる。
【特許文献１】特開平５−３４１８８２号公報
【発明の開示】
【発明が解決しようとする課題】
【０００４】
ここで、上述した特許文献１に提案された技術をデジタルカメラに採用して、そのデジタルカメラに適合したソフトウェアをパーソナルコンピュータにインストールする旨の表示を行なう場合であっても、デジタルカメラとパーソナルコンピュータをＵＳＢケーブルで接続してしまうと、パーソナルコンピュータは、ＵＳＢケーブルを介してデジタルカメラが接続された旨を検出し、これによりパーソナルコンピュータに予め組み込まれている汎用のソフトウェアが、そのパーソナルコンピュータにインストールされる。この汎用のソフトウェアのアプリケーションは、デジタルカメラメーカにより供給されるデジタルカメラに適合したソフトウェアのアプリケーションとは異なるため、デジタルカメラからパーソナルコンピュータへの画像転送に支障をきたす場合がある。
【０００５】
本発明は、上記事情に鑑み、コンピュータへの画像転送に支障をきたすという問題を解消することができるデジタルカメラを提供することを目的とする。
【課題を解決するための手段】
【０００６】
上記目的を達成する本発明のデジタルカメラは、被写体の撮影を行なって画像データを生成するデジタルカメラにおいて、
コンピュータとの間の通信路を形成する通信ケーブルの一端と結合するコネクタと、
そのコネクタに接続された通信ケーブルを介して、所定のソフトウェアがインストールされたコンピュータとの間で通信を行ないそのコンピュータに画像データを送信する通信手段と、
コンピュータに上記所定のソフトウェアがインストールされているか否かをユーザに問い合わせ、インストールされていることの確認を得る問合せ手段とを備え、
上記通信手段は、上記問合せ手段による上記確認を得るまでの間は、上記通信路を切断しておき、その確認を得た後にその通信路を接続するものであることを特徴とする。
【０００７】
本発明のデジタルカメラは、コンピュータに所定のソフトウェアがインストールされているか否かをユーザに問い合わせ、インストールされていることの確認を得るまでの間は、通信路を切断しておき、その確認を得た後にその通信路を接続するものであるため、コンピュータに組み込まれている汎用のソフトウェアがそのコンピュータに強制的にインストールされるということが防止される。従って、ユーザは、本発明のデジタルカメラに適合したソフトウェアをコンピュータに確実にインストールすることができ、汎用のソフトウェアを使用してコンピュータへの画像転送を行なう場合と比較し、画像転送に支障をきたすという問題が解消される。
【０００８】
ここで、上記通信手段は、上記通信路を切断しておくにあたり、上記通信ケーブルの一端が上記コネクタに結合されその通信ケーブルの他端がコンピュータに接続された状態においても、そのコンピュータに、その通信ケーブルに機器が未接続であると認識させる状態にその通信路を切断しておくものであることが好ましい。
【０００９】
このようにすると、本発明のデジタルカメラとコンピュータを通信ケーブルで接続した場合であっても、コンピュータではデジタルカメラが未接続であると認識されるため、そのコンピュータに汎用のソフトウェアがインストールされるということが防止される。
【００１０】
また、上記コネクタが、上記通信ケーブルの一端との結合を検出する結合検出スイッチを備えたものであることも好ましい態様である。
【００１１】
このような結合検出スイッチを備えると、通信ケーブルの一端が上記コネクタに結合された旨を簡単に検出することができる。この検出を受けて、後述する実施形態で説明するようにして、コンピュータに所定のソフトウェアがインストールされているか否かをユーザに問い合わせることができる。
【発明の効果】
【００１２】
本発明のデジタルカメラでは、コンピュータに所定のソフトウェアがインストールされているか否かをユーザに問い合わせ、インストールされていることの確認を得るまでの間は、通信路を切断しておき、その確認を得た後にその通信路を接続するものであるため、コンピュータに組み込まれている汎用のソフトウェアがそのコンピュータ上に強制的にインストールされるということが防止されて、本発明のデジタルカメラに適合したソフトウェアをコンピュータに確実にインストールすることができる。従って、汎用のソフトウェアで画像転送に支障をきたすという問題を解消することができる。
【発明を実施するための最良の形態】
【００１３】
以下、本発明の実施形態について説明する。
【００１４】
図１は、本発明の一実施形態のデジタルカメラの外観図である。図１（ａ）は正面図、図１（ｂ）は上面図、図１（ｃ）は側面図、図１（ｄ）は背面図である。
【００１５】
図１（ａ）〜図１（ｄ）に示すデジタルカメラ１００は、被写体の撮影を行なって画像データを生成するデジタルカメラである。
【００１６】
図１（ａ）に示すように、本実施形態のデジタルカメラ１００の正面には、撮影ズームレンズ１０１が備えられている。また、このデジタルカメラ１００の上部には、閃光を発光する閃光発光管１０５ａを有する閃光発光装置１０５が配備されている。
【００１７】
さらに、図１（ｄ）に示すように、デジタルカメラ１００の背面にはユーザがこのデジタルカメラ１００を使用するときに種々の操作を行なうための操作部１２０が設けられている。
【００１８】
この操作部１２０には、デジタルカメラ１００を作動させるための電源投入用の電源スイッチ１２１、撮影と再生とを自在に切り替える撮影・再生切替レバー１２２、オート撮影やマニュアル撮影等を選択するための撮影モードダイヤル１２３、各種のメニューの設定や選択あるいはズームを行なうための十字スイッチ１２４、閃光発光用のスイッチ１２５、および十字スイッチ１２４で選択されたメニューの実行を行なうための実行スイッチ１２６ａ，キャンセルを行なうためのキャンセルスイッチ１２６ｂが備えられている。
【００１９】
また、デジタルカメラ１００の背面には、撮影画像や再生画像等を表示するための液晶モニタ１０２と、操作の手助けを行なうための表示部１０３が備えられている。
【００２０】
さらに、図１（ｂ）に示すように、このデジタルカメラ１００の上面にはシャッタボタン１０４が配備されている。このシャッタボタン１０４によって撮影の開始指示がデジタルカメラ１００の内部に備えられた、後述するＣＰＵへと伝えられる。このデジタルカメラ１００では撮影・再生切替レバー１２２によって撮影と再生との切り替えが自在になっていて、撮影を行なうときにはユーザによって撮影・再生切替レバー１２２が撮影側１２２ａに切り替えられ、再生を行なうときには撮影・再生切替レバー１２２が再生側１２２ｂに切り替えられる。
【００２１】
さらに、図１（ｃ）に示すように、デジタルカメラ１００の側面には、このデジタルカメラ１００により撮影された被写体の画像データをテレビやプロジェクタ等に出力するためのケーブルが接続される映像出力端子１０６と、このデジタルカメラ１００により撮影された被写体の画像データをＵＳＢコネクタが備えられたパーソナルコンピュータ等に送信するためのＵＳＢケーブル（本発明にいう通信ケーブルの一例に相当）が接続されるＵＳＢコネクタ１０７と、ＡＣアダプタからの直流電圧が入力される直流電圧入力端子１０８とが備えられている。
【００２２】
図２は、図１に示すデジタルカメラの回路構成を示すブロック図である。
【００２３】
このデジタルカメラ１００には、前述した撮影ズームレンズ１０１と、その撮影ズームレンズ１０１を経由して結像された被写体像をアナログの画像信号に変換する撮像素子１３１が備えられている。
【００２４】
また、このデジタルカメラ１００には、撮像素子１３１からのアナログの画像信号をガンマ補正，白バランス調整等のアナログ信号処理を行なうアナログ信号処理部１３２と、そのアナログ信号処理部１３２で処理されたアナログの画像信号をデジタルの画像信号にＡ／Ｄ変換するＡ／Ｄコンバータ１３３と、そのＡ／Ｄコンバータ１３３からの画像信号をデジタル処理するデジタル信号処理部１３４と、そのデジタル信号処理部１３４で実行されるデジタル処理に必要なプログラムデータ等が格納されたＲＯＭ１３５とが備えられている。デジタル信号処理部１３４でデジタル処理された画像データは、液晶モニタ１０２に向けて出力される。
【００２５】
さらに、このデジタルカメラ１００には、上記デジタル信号処理部１３４とのやり取りを行なうとともにシャッタボタン１０４からの操作情報が入力されるＣＰＵ１３６が備えられている。
【００２６】
また、デジタルカメラ１００には、自動露出調整用のＡＥデータおよび自動焦点調整用のＡＦデータをＣＰＵ１３６に向けて出力するＡＥ／ＡＦ部１３７と、前述した電源スイッチ１２１,撮影・再生切替レバー１２２,撮影モードダイヤル１２３,十字スイッチ１２４,閃光発光用のスイッチ１２５,実行スイッチ１２６ａ，キャンセルスイッチ１２６ｂからなる操作部１２０が備えられている。
【００２７】
さらに、このデジタルカメラ１００には、デジタル信号処理部１３４からの画像データを格納するとともに格納された画像データをデジタル信号処理部１３４に向けて出力するメモリ１３８と、デジタル信号処理部１３４からの画像データが格納されるメモリカード１３９が備えられている。
【００２８】
また、このデジタルカメラ１００には、デジタル信号処理部１３４と外部のパーソナルコンピュータ２００との間で画像データのやり取りを行なうＩ／Ｆ部１４０が備えられている。Ｉ／Ｆ部１４０には、ＵＳＢコネクタ１０７（図１参照）が備えられている。Ｉ／Ｆ部１４０とパーソナルコンピュータ２００は、ＵＳＢケーブル３００で接続される。尚、Ｉ／Ｆ部１４０の詳細については後述する。
【００２９】
図３は、図２に示すデジタルカメラとパーソナルコンピュータとがＵＳＢケーブルで接続される様子を示す図である。
【００３０】
図３に示すデジタルカメラ１００には、前述したＵＳＢコネクタ１０７が備えられている。このＵＳＢコネクタ１０７は、後述するパーソナルコンピュータ２００との間の通信路を形成するＵＳＢケーブル３００の一端３０１と結合される。
【００３１】
パーソナルコンピュータ２００は、本体部２１０とＣＲＴディスプレイ２２０を有する。本体部２１０には、ＣＰＵ（中央処理装置）、ＲＡＭ（ランダムアクセスメモリ）、ハードディスク、ＵＳＢ用のＩ／Ｆボード等が内蔵されている。また、この本体部２１０は、外観上、デジタルカメラ１００用のドライバソフトウェアが格納されたＣＤ−ＲＯＭ等が装填されるＣＤ−ＲＯＭ装填口２１１と、フレキシブルディスクが装填されるフレキシブルディスク装填口２１２を有しており、それらの内部には、それらの装填口２１１，２１２から装填されたＣＤ−ＲＯＭやフレキシブルディスクをドライブしてアクセスするＣＤ−ＲＯＭドライブやフレキシブルディスクドライブが内蔵されている。さらに、この本体部２１０は、電源スイッチ２１３と、ＵＳＢケーブル３００の他端３０２と結合されるＵＳＢコネクタ２１４を有する。
【００３２】
図４は、図３に示すデジタルカメラのＩ／Ｆ部の回路を示す図である。
【００３３】
図４に示すＩ／Ｆ部１４０には、ＵＳＢケーブル３００の一端３０１と結合するＵＳＢコネクタ１０７が備えられている。このＵＳＢコネクタ１０７には、電源電圧ＶCCが印加される電源ピン１０７＿１と、逆相信号（−Ｄ），正相信号（＋Ｄ）が伝送される信号ピン１０７＿２,１０７＿３と、グラウンドに接続されるグラウンドピン１０７＿４とが備えられている。また、このＵＳＢコネクタ１０７には、ＵＳＢケーブル３００の一端３０１との結合を検出する結合検出スイッチ１０７＿５が備えられている。この結合検出スイッチ１０７＿５は、ＵＳＢケーブル３００の一端３０１が矢印Ａ方向から挿入されることにより、その一端３０１の外壁３０１ａで押圧されてオン状態（導通状態）になるスイッチである。
【００３４】
また、Ｉ／Ｆ部１４０には、通信路スイッチ１４２＿１，１４２＿２と、結合検出フラグ１４３ａおよびＵＳＢコントローラ１４３ｂを有するＭＰＵ（Ｍｉｃｒｏ  Ｐｒｏｃｅｓｓｏｒ  Ｕｎｉｔ）１４３が備えられている。
【００３５】
ここで、結合検出スイッチ１０７＿５は、一端がグラウンドＧＮＤに接続されるとともに他端がＭＰＵ１４３のポートＰＡおよびデジタル信号処理部１３４の割込端子ＩＮＴ２に接続されている。また、通信路スイッチ１４２＿１，１４２＿２は、各一端が信号ピン１０７＿２,１０７＿３に接続されるとともに各他端がＭＰＵ１４３のＵＳＢコントローラ１４３ｂに接続されている。さらに、通信路スイッチ１４２＿１，１４２＿２の各制御端子はＭＰＵ１４３のポートＰＣに接続されている。また、ＭＰＵ１４３のポートＰＢは、デジタル信号処理部１３４の割込端子ＩＮＴ１に接続されている。
【００３６】
ここで、Ｉ／Ｆ部１４０は、ＵＳＢコネクタ１０７に接続されたＵＳＢケーブル３００を介して、このデジタルカメラ１００に適合したドライバソフトウェア（本発明にいう所定のソフトウェアの一例に相当）がインストールされたパーソナルコンピュータ２００との間で通信を行ないそのパーソナルコンピュータ２００に画像データを送信する本発明の通信手段の役割を担うものである。
【００３７】
また、このＩ／Ｆ部１４０は、パーソナルコンピュータ２００に上記ドライバソフトウェアがインストールされているか否かを、デジタル信号処理部１３４,液晶モニタ１０２を介してユーザに問い合わせ、インストールされていることの確認を、そのユーザによる実行スイッチ１２６ａの操作を介して得る問合せ手段の役割を担うものである。
【００３８】
さらに、このＩ／Ｆ部１４０は、上記確認を得るまでの間は、上記通信路を切断しておき、その確認を得た後にその通信路を接続するものである。尚、電源が投入された時点では、図４に示すＭＰＵ１４３のポートＰＣは‘Ｌ’レベルにあり、このため通信路スイッチ１４２＿１,１４２＿２はオフ状態にあり、従って通信路は切断状態にある。また、ＭＰＵ１４３の、後述するポートＰＢは‘Ｈ’レベルにある。以下、このＩ／Ｆ部１４０の動作について、図５、図６を参照して説明する。
【００３９】
図５は、本実施形態のデジタルカメラのメインルーチンのフローチャートである。
【００４０】
このメインルーチンは、デジタルカメラ１００の電源スイッチ１２１が押されると実行されるルーチンである。
【００４１】
ここで、デジタルカメラ１００に電源が未だ投入されていない状態で、このデジタルカメラ１００のＵＳＢコネクタ１０７にＵＳＢケーブル３００の一端３０１が既に結合されている場合と、デジタルカメラ１００に電源が既に投入されている状態で上記ＵＳＢコネクタ１０７に上記一端３０１が結合される場合とがある。
【００４２】
最初に、デジタルカメラ１００に電源が未だ投入されていない状態で、このデジタルカメラ１００のＵＳＢコネクタ１０７にＵＳＢケーブル３００の一端３０１が既に結合されている場合について説明する。
【００４３】
デジタルカメラ１００に電源が投入されると、図５に示すメインルーチンが起動する。先ず、ステップＳ１において、デジタル信号処理部１３４に備えられた割込端子ＩＮＴ１,ＩＮＴ２のインタラプトをディスエーブルにする。これにより、割込端子ＩＮＴ１,ＩＮＴ２の割込みが禁止される。
【００４４】
次に、ステップＳ２において、結合検出フラグが‘１’であるか否かが判定される。ここで、結合検出フラグとは、このデジタルカメラ１００に添付されたＣＤ−ＲＯＭに格納されているドライバソフトウェアが、パーソナルコンピュータ２００にインストールされているか否かを、デジタルカメラ１００側で判定するためのフラグであり、ドライバソフトウェアがパーソナルコンピュータ２００に既にインストールされている場合は‘１’にセットされ、ドライバソフトウェアがパーソナルコンピュータ２００に未だインストールされていない場合は‘０’にリセットされる。
【００４５】
結合検出フラグが‘１’であると判定された場合は、ドライバソフトウェアがパーソナルコンピュータ２００に既にインストールされているため、ステップＳ３に進む。
【００４６】
ステップＳ３では、ＭＰＵ１４３のポートＣを‘Ｈ’レベルにして通信路スイッチ１４２＿１,１４２＿２をオン状態にする。これにより、通信路が接続される。次に、ステップＳ４に進む。
【００４７】
ステップＳ４では、通常のカメラ動作の処理を行なう。一方、パーソナルコンピュータ２００は、形成された通信路を介してデジタルカメラ１００が接続されたことを認識し、そのパーソナルコンピュータ２００に既にインストールされている、このデジタルカメラ１００に適合したドライバソフトウェアを起動する。このようにして、デジタルカメラ１００からパーソナルコンピュータ２００への画像転送が支障なく行なわれる。
【００４８】
一方、ステップＳ２において、結合検出フラグが‘０’であると判定された場合は、ドライバソフトウェアがパーソナルコンピュータ２００に未だインストールされていないため、ステップＳ５に進む。
【００４９】
ステップＳ５では、デジタル信号処理部１３４に備えられた割込端子ＩＮＴ１,ＩＮＴ２のインタラプトをイネーブルにする。これにより、割込端子ＩＮＴ１,ＩＮＴ２の割込みが許可される。
【００５０】
次に、ステップＳ６において、結合検出スイッチ１０７＿５がオンされているか否かが判定される。具体的には、ＭＰＵ１４３のポートＰＡが‘Ｌ’レベルか否かが判定される。前述したように、ＵＳＢコネクタ１０７はＵＳＢケーブル３００の一端３０１に既に結合されているため、結合検出スイッチ１０７＿５はオン、即ちポートＰＡは‘Ｌ’レベルであり、従ってステップＳ７に進む。
【００５１】
ステップＳ７では、ＭＰＵ１４３のポートＰＢを‘Ｈ’レベルから‘Ｌ’レベルに変化させる。これに伴い、デジタル信号処理部１３４の割込端子ＩＮＴ１も‘Ｈ’レベルから‘Ｌ’レベルに変化する。すると、後述する図６に示す割込処理ルーチンが起動する。
【００５２】
次に、デジタルカメラ１００に電源が既に投入されている状態で、デジタルカメラ１００のＵＳＢコネクタ１０７にＵＳＢケーブル３００の一端３０１が結合される場合について説明する。ここでは、デジタルカメラ１００に電源が投入される時点から説明する。
【００５３】
先ず、ステップＳ１において、デジタル信号処理部１３４に備えられた割込端子ＩＮＴ１,ＩＮＴ２のインタラプトをディスエーブルにする。
【００５４】
次に、ステップＳ２において、結合検出フラグが‘１’であるか否かが判定される。結合検出フラグが‘１’であると判定された場合は、ドライバソフトウェアがパーソナルコンピュータ２００に既にインストールされているため、ステップＳ３に進む。ステップＳ３では、ＭＰＵ１４３のポートＣを‘Ｈ’レベルにして通信路スイッチ１４２＿１,１４２＿２をオン状態にしてステップＳ４に進む。ステップＳ４では、通常のカメラ動作の処理を行なう。
【００５５】
一方、ステップＳ２において、結合検出フラグが‘０’であると判定された場合は、ドライバソフトウェアがパーソナルコンピュータ２００に未だインストールされていないため、ステップＳ５に進む。
【００５６】
ステップＳ５では、デジタル信号処理部１３４に備えられた割込端子ＩＮＴ１,ＩＮＴ２のインタラプトをイネーブルにする。これにより、割込端子ＩＮＴ１,ＩＮＴ２の割込みが許可される。
【００５７】
次に、ステップＳ６において、結合検出スイッチ１０７＿５がオンされているか否かが判定される。ここでは、ＵＳＢコネクタ１０７にＵＳＢケーブル３００の一端３０１が未だ結合されていない状態であるため、結合検出スイッチ１０７＿５はオフされており、従ってステップＳ４に進み、通常のカメラ動作の処理を行なう。このような処理を行なっているときに、ＵＳＢコネクタ１０７にＵＳＢケーブル３００の一端３０１が結合される。すると、結合検出スイッチ１０７＿５がオンされてデジタル信号処理部１３４の割込端子ＩＮＴ２が‘Ｈ’レベルから‘Ｌ’レベルに変化する。すると、次に説明する図６に示す割込処理ルーチンが起動する。
【００５８】
図６は、割込処理ルーチンのフローチャートである。
【００５９】
この割込処理ルーチンは、図５に示すステップＳ４において通常のカメラ動作の処理を実行中に、割込端子ＩＮＴ１,ＩＮＴ２に入力される信号の‘Ｈ’レベルから‘Ｌ’レベルへの変化を受けて起動される割込処理ルーチンである。
【００６０】
先ず、ステップＳ１１において、液晶モニタ１０２（図１、図２参照）に「ドライバソフトウェアをインストールしてください。その後、実行スイッチを押して下さい。」という表示を行なう。
【００６１】
次に、ステップＳ１２において、キャンセルスイッチ１２６ｂが押されたか否かが判定される。キャンセルスイッチ１２６ｂが押されたと判定された場合は、このルーチンを抜ける。一方、キャンセルスイッチ１２６ｂが押されていないと判定された場合はステップＳ１３に進む。ユーザは、このキャンセルスイッチ１２６ｂを押すことにより、ドライバソフトウェアのインストールを中止することができる。
【００６２】
ステップＳ１３では、実行スイッチ１２６ａが押されたか否かが判定される。実行スイッチ１２６ａが押されていないと判定された場合は、前述したステップＳ１２に戻る。一方、実行スイッチ１２６ａが押されたと判定された場合、即ちユーザがドライバソフトウェアをインストールして実行スイッチ１２６ａを押した場合はステップＳ１４に進む。
【００６３】
ステップＳ１４では、結合検出フラグを‘１’にセットする。このようにして、デジタルカメラ１００に、このデジタルカメラ１００に適合したドライバソフトウェアがパーソナルコンピュータ２００にインストールされた旨が記憶される。次に、ステップＳ１５に進む。
【００６４】
ステップＳ１５では、通信路スイッチ１４２＿１,１４２＿２をオンにする。これにより、デジタルカメラ１００とパーソナルコンピュータ２００との通信路が接続される。その後、前述した図５に示すステップＳ４に戻る。
【００６５】
本実施形態のデジタルカメラ１００は、結合検出フラグ１４３ａを判定して液晶モニタ１０２を介して、このデジタルカメラ１００に適合したドライバソフトウェアがパーソナルコンピュータ２００にインストールされているか否かをユーザに問い合わせ、ユーザが実行スイッチ１２６ａを押してインストールされていることの確認を得るまでの間は、通信路を切断しておき、その確認を得た後にその通信路を接続するものであるため、パーソナルコンピュータ２００に組み込まれている汎用のドライバソフトウェアがそのパーソナルコンピュータ２００に強制的にインストールされるということが防止される。従って、ユーザは、本実施形態のデジタルカメラ１００に適合したドライバソフトウェアをパーソナルコンピュータ２００に確実にインストールすることができ、汎用のドライバソフトウェアを使用してパーソナルコンピュータ２００への画像転送を行なう場合と比較し、画像転送に支障をきたすという問題が解消される。
【００６６】
尚、本実施形態では、デジタルカメラ１００に適合したドライバソフトウェアが特定のパーソナルコンピュータ２００にインストールされたことを受けて、結合検出フラグ１４３ａを‘１’にセットする例で説明したが、このデジタルカメラ１００に結合検出フラグ１４３ａを‘０’にリセットする機能を備え、別のパーソナルコンピュータに上記ドライバソフトウェアをインストールした時点で結合検出フラグ１４３ａを‘１’にセットするようにしてもよい。
【００６７】
以上で本実施形態の説明は終了し、次に、本実施形態の、ソフトウェアインストールに関する注意喚起方法とは異なる注意喚起方法について説明する。以下に説明する注意喚起方法は、これまで説明してきた実施形態と統合して１台のデジタルカメラに組み込んでもよく、あるいはこれまで説明してきた実施形態のデジタルカメラとは異なるデジタルカメラに組み込んでもよい。尚、以下では、デジタルカメラ全体についての説明は省略し、注意喚起方法に関する点のみ説明する。
【００６８】
以下に説明する注意喚起方法が組み込まれたデジタルカメラには、そのデジタルカメラの販売にあたり、ドライバソフトウェアのインストール手順を示す画像データが記憶されたメディア（メモリカード）が同梱されている。ユーザは、インストールの手順を確認した後に、この画像データを消去することにより、通常の記憶メディアとして使用することができる。
【００６９】
図７は、メディアによりインストール手順が表示されるデジタルカメラにおける、第１の表示例を示す図である。
【００７０】
このデジタルカメラにメディアを挿入して電源を投入すると、このデジタルカメラの液晶モニタ１０２には、図７に示すように、いわゆるスライドショーの形式で、４枚のイラスト画面が所定時間毎に順次に表示される。
【００７１】
１枚目のイラスト画面には、パーソナルコンピュータ２００の本体部２１０と、その本体部２１０が有するＵＳＢコネクタ２１４と、ＵＳＢケーブル３００の他端３０２とが表示されている。さらに、このイラスト画面には、ＵＳＢコネクタ２１４にＵＳＢケーブル３００の他端３０２を結合することを禁止する×印（点線）とＮＧの文字とが表示されている。
【００７２】
所定時間経過後、２枚目のイラスト画面が表示される。この２枚目のイラスト画面には、本体部２１０と、その本体部２１０が有するＣＤ−ＲＯＭ装填口２１１と、このデジタルカメラに適合したドライバソフトウェアが格納されたＣＤ−ＲＯＭ４００と、丸印（点線）とが表示されている。この丸印は、×印で示すＵＳＢコネクタ２１４にＵＳＢケーブル３００の他端３０２を結合する前に、ＣＤ−ＲＯＭ装填口２１１にＣＤ−ＲＯＭ４００を装填することを推奨することを示すマークである。さらに、所定時間経過後、３枚目のイラスト画面が表示される。
【００７３】
この３枚目のイラスト画面には、パーソナルコンピュータ２００を構成するＣＲＴディスプレイ２２０が表示されている。このＣＲＴディスプレイ２２０には、ＣＤ−ＲＯＭ４００に格納されたドライバソフトウェアがインストールされる様子を示すインストールの文字が表示されている。
【００７４】
さらに、所定時間経過すると４枚目のイラスト画面が表示される。この４枚目のイラスト画面には、本体部２１０が有するＵＳＢコネクタ２１４に、ＵＳＢケーブル３００の他端３０２が挿入される様子が表示されている。液晶画面１０２には、このような手順が表示されるため、ユーザはパーソナルコンピュータ２００とデジタルカメラをＵＳＢケーブル３００で接続することなく、そのパーソナルコンピュータ２００に、そのデジタルカメラに適合したドライバソフトウェアをインストールすることができる。従って、デジタルカメラからパーソナルコンピュータ２００への画像転送を支障なく行なうことができる。
【００７５】
図８は、メディアによりインストール手順が表示されるデジタルカメラにおける、第２の表示例を示す図である。
【００７６】
デジタルカメラにメディアを挿入して電源を投入すると、液晶モニタ１０２には、図８に示すような動画が表示される。
【００７７】
液晶モニタ１０２には、先ず図８の左側に示すように、動画の最初の部分が表示される。ここでは、パーソナルコンピュータ２００の本体部２１０が有するＣＤ−ＲＯＭ装填口２１１に、デジタルカメラに適合したドライバソフトウェアが格納されたＣＤ−ＲＯＭ４００が装填される様子が表示されている。
【００７８】
次いで、図８の中央に示すように、動画の中間の部分が表示される。ここでは、パーソナルコンピュータ２００を構成するＣＲＴディスプレイ２２０に、ＣＤ−ＲＯＭ４００に格納されたドライバソフトウェアがインストールされる様子が表示される。
【００７９】
さらに、図８の右側に示すように、動画の最後の部分が表示される。ここでは、本体部２１０が有するＵＳＢコネクタ２１４に、ＵＳＢケーブル３００の他端３０２が挿入される様子が表示される。このようにして、デジタルカメラに適合したドライバソフトウェアをパーソナルコンピュータ２００にインストールするための動画を、液晶モニタ１０２に表示してもよい。
【図面の簡単な説明】
【００８０】
【図１】本発明の一実施形態のデジタルカメラの外観図である。
【図２】図１に示すデジタルカメラの回路構成を示すブロック図である。
【図３】図２に示すデジタルカメラとパーソナルコンピュータとがＵＳＢケーブルで接続される様子を示す図である。
【図４】図３に示すデジタルカメラのＩ／Ｆ部の回路を示す図である。
【図５】本実施形態のデジタルカメラのメインルーチンのフローチャートである。
【図６】割込処理ルーチンのフローチャートである。
【図７】メディアによりインストール手順が表示されるデジタルカメラにおける、第１の表示例を示す図である。
【図８】メディアによりインストール手順が表示されるデジタルカメラにおける、第２の表示例を示す図である。
【符号の説明】
【００８１】
１００  デジタルカメラ
１０１  撮影ズームレンズ
１０２  液晶モニタ
１０３  表示部
１０４  シャッタボタン
１０５  閃光発光装置
１０５ａ  閃光発光管
１０６  映像出力端子
１０７  ＵＳＢコネクタ
１０７,２１４  ＵＳＢコネクタ
１０７＿１  電源ピン
１０７＿２,１０７＿３  信号ピン
１０７＿４  グラウンドピン
１０７＿５  結合検出スイッチ
１０８  直流電圧入力端子
１２０  操作部
１２１  電源スイッチ
１２２  撮影・再生切替レバー
１２３  撮影モードダイヤル
１２４  十字スイッチ
１２５  閃光発光用のスイッチ
１２６ａ  実行スイッチ
１２６ｂ  キャンセルスイッチ
１３１  撮像素子
１３２  アナログ信号処理部
１３３  Ａ／Ｄコンバータ
１３４  デジタル信号処理部
１３５  ＲＯＭ
１３６  ＣＰＵ
１３７  ＡＥ／ＡＦ部
１３８  メモリ
１３９  メモリカード
１４０  Ｉ／Ｆ部
１４２＿１，１４２＿２  通信路スイッチ
１４３  ＭＰＵ
１４３ａ  結合検出フラグ
１４３ｂ  ＵＳＢコントローラ
２００  パーソナルコンピュータ
２１０  本体部
２２０  ＣＲＴディスプレイ
２１１  ＣＤ−ＲＯＭ装填口
２１２  フレキシブルディスク装填口
２１３  電源スイッチ
３００  ＵＳＢケーブル
３０１  ＵＳＢケーブルの一端
３０２  ＵＳＢケーブルの他端
３０１ａ  外壁
４００  ＣＤ−ＲＯＭ
【図１】
2005101900.tif 000003
【図２】
2005101900.tif 000004
【図３】
2005101900.tif 000005
【図４】
2005101900.tif 000006
【図５】
2005101900.tif 000007
【図６】
2005101900.tif 000008
【図７】
2005101900.tif 000009
【図８】
2005101900.tif 000010